(57)【要約】【課題】簡単な構成により、留守番電話機能の有効時の着信や音声メッセージ等を、電話回線を使用することなく、電子メール受信機能を備える通信端末装置等で簡単に確認させること、コードレス電話機の子機により、親機の留守番電話機能に係る処理を簡単に確認可能なこと等。【解決手段】コードレス電話機１００は、留守番電話機能を備える親機１００Ａと、無線通信により親機１００Ａを介して通話可能な子機１００Ｂとを有し、親機１００Ａは、子機１００Ｂと無線通信を行う無線部１０４と、ＩＰ通信Ｉ／Ｆ１０６と、電話回線Ｉ／Ｆ１１０と、電話回線Ｉ／Ｆ１１０による着信信号を検出する着信検出部１１３と、留守番電話機能が有効時に、着信検出部１１３により着信信号が検出された場合、予め規定されたメールアドレス宛に、その旨を示す電子メールをＳＭＴＰによりＩＰ通信Ｉ／Ｆ１０６を介して送信する処理を行う制御部１７０とを有する。【選択図】図２
2008042412.tif 000002
【特許請求の範囲】
【請求項１】
留守番電話機能を備える親機と、無線通信により前記親機を介して通話可能な子機とを有するコードレス電話機であって、
前記親機は、前記子機と無線通信を行う親機側無線部と、
所定の伝送フォーマットでデータをネットワーク伝送可能なＩＰ通信ネットワークインタフェースと、
電話回線を介して通信を行う電話回線インタフェースと、
前記電話回線インタフェースによる着信信号を検出する着信検出手段と、
前記留守番電話機能が有効時に、前記着信検出手段により着信信号が検出された場合、予め規定されたメールアドレス宛に、その旨を示す電子メールをＳＭＴＰにより前記ＩＰ通信ネットワークインタフェースを介して送信する処理を行う制御部と
を有することを特徴とするコードレス電話機。
【請求項２】
前記ＩＰ通信ネットワークインタフェースは、ハードウェア固有の物理アドレスを示す識別情報を有し、当該識別情報を基に搬送波感知多重アクセス／衝突検出方式により通信制御を行うことを特徴とする請求項１に記載のコードレス電話機。
【請求項３】
前記子機は、前記親機と無線通信を行う子機側無線部と、
前記子機側無線部を介して前記親機から受信した制御信号に応じた表示を行う表示部とを有し、
前記親機の制御部は、前記留守番電話機能が有効時に、前記電子メールの送信処理に係る表示を行わせる制御信号を前記親機側無線部を介して前記子機に送信する処理を行うことを特徴とする請求項１または請求項２に記載のコードレス電話機。
【請求項４】
前記親機は、前記電話回線インタフェースを介して受信した外部音声信号と時刻データとを関連付けて記憶する記憶部を有し、
前記制御部は、前記記憶部に外部音声信号が新たに記憶された場合に、前記外部音声信号に応じた音声データ及び前記時刻データを含む電子メールを送信する処理を行うことを特徴とする請求項１または請求項２に記載のコードレス電話機。
【請求項５】
前記親機は、前記電話番号と、該電話番号に係る発信元情報とを関連付けて記憶する記憶部と、
前記電話回線インタフェースを介して、発信元の電話番号を示す信号を検出する発信元電話番号検出部と、を有し、
前記制御部は、前記発信元電話番号検出部により検出された信号が示す電話番号を基に、該電話番号に関連付けられた発信元情報を、前記電子メールに付加して送信する処理を行うことを特徴とする請求項１または請求項２に記載のコードレス電話機。
【請求項６】
前記制御部は、前記電話回線インタフェースを介して、前記電子メールの送信指示を示す信号を受信した場合に、前記留守番電話機能に係る内容を示す電子メールを送信する処理を行うことを特徴とする請求項１または請求項２に記載のコードレス電話機。
【請求項７】
前記制御部は、前記ＩＰ通信ネットワークインタフェースを介して、前記電子メールの送信指示を示す信号を受信した場合に、前記留守番電話機能に係る内容を示す電子メールを送信する処理を行うことを特徴とする請求項１または請求項２に記載のコードレス電話機。
【請求項８】
前記制御部は、前記発信元番号検出部により検出された信号が示す電話番号を基に、予め前記電話番号に関連付けられた送信先のメールアドレス宛に、前記電子メールを送信する処理を行うことを特徴とする請求項１または請求項２に記載のコードレス電話機。
【請求項９】
前記制御部は、前記発信元番号検出部により検出された信号が示す電話番号が、予め規定された電話番号と一致する場合に、前記電子メールの送信処理を抑止することを特徴とする請求項４に記載のコードレス電話機。
【請求項１０】
前記子機は、規定されたメールアドレス宛に電子メールを送信させる制御信号を、前記子機側無線部を介して前記親機に送信する処理を行う手段を有し、
前記親機の制御部は、前記子機から前記親機側無線部を介して前記電子メールの送信指示を示す前記制御信号を受信した場合、該制御信号に基づいて前記メールアドレス宛に前記電子メールを送信する処理を行うことを特徴とする請求項１または請求項２に記載のコードレス電話機。
【請求項１１】
前記電話回線インタフェースは、アナログ信号により公衆電話回線網を介して通信を行うことを特徴とする請求項１から請求項１０のいずれかに記載のコードレス電話機。
【請求項１２】
前記親機及び子機は、デジタル無線方式により無線通信を行うとともに、通信周波数を規定周期で切り替える周波数ホッピング方式により無線通信を行うことを特徴とする請求項１から請求項１０のいずれかに記載のコードレス電話機。
【請求項１３】
前記親機は、ファクシミリ受信部を有し、
前記制御部は、前記ファクシミリ受信部により受信されたシリアルデータのファクシミリ信号に基づいて画像データを生成し、当該生成された画像データを前記電子メールに添付して送信する処理を行うことを特徴とする請求項１に記載のコードレス電話機。
【請求項１４】
前記制御部は、前記電話回線インタフェースを介して受信したデータに係る音声データ又は画像データを、前記ＩＰ通信ネットワークインタフェースを介してサーバ装置に送信して、当該サーバ装置に登録する処理を行うことを特徴とする請求項１に記載のコードレス電話機。
【請求項１５】
少なくとも留守番電話機能部、前記制御部、前記電話回線インタフェース、および前記着信検出手段を備えるコードレス電話メイン機能部と、
前記ＩＰ通信ネットワークインタフェース、およびＳＭＴＰにより電子メールを送信する処理を行う処理部を備えるＩＰ通信インタフェース機能部と、を有し、
前記制御部が、前記コードレス電話メイン機能部と前記ＩＰ通信インタフェース機能部とを協働させて前記電子メールの送信に係る処理を行うことを特徴とする請求項１に記載のコードレス電話機。
【発明の詳細な説明】
【技術分野】
【０００１】
本発明は、コードレス電話機に関するものである。
【背景技術】
【０００２】
留守番電話機能を備えた電話機が知られている。この電話機では、留守番電話機能がオン状態の場合に、外部の電話機から受信した音声メッセージを録音することができ、ユーザの操作によりその音声メッセージを再生することができる。
【０００３】
また、例えば外部の電話機から電話回線を介してトーン信号により留守電の確認の指示信号を受けると、録音された音声メッセージの有無を示すメッセージを電話回線を介して外部の電話機に送信し、音声メッセージが録音されている場合に、その音声メッセージを再生して電話回線を介して外部の電話機に送信する機能、いわゆる外線リモコン操作機能を備える電話機も知られている。
【０００４】
しかし、上述した電話機では、外出先の電話機から電話回線を介して音声メッセージを確認することができるが、所定の電話回線の使用料金を要する。
【０００５】
そこで、例えば発呼者の電話機から相手の電話機に通信された音声メッセージを、中継器が、電子メールの添付ファイルとして自動送信する際に、中継器が、音声メッセージを相手が予め指定した音声ファイルに変換し、その音声メッセージを電子メールの添付ファイルとして相手に自動的に送信するシステムが提案されている（例えば、特許文献１参照）。このシステムでは、ユーザが電子メールに添付された音声メッセージを再生することで、音声メッセージを確信することができる。
【０００６】
【特許文献１】特開２００２−３３０２２４号公報
【発明の開示】
【発明が解決しようとする課題】
【０００７】
しかし、特許文献１により開示されたシステムでは、電話機とは別に設けられた中継器が、上記電子メール送信処理を行うので、例えば家庭や会社等に設置される、親機と子機を有するコードレス電話機に単純に上記システムを適用することは困難である。
【０００８】
また、例えば家庭等に設置されるコードレス電話機の親機と子機は、離れた位置に設置されるケースが多く、具体的には親機をリビング等に設置して、子機を別室等に設置して使用されるケースが多いため、例えば子機により、親機の留守番電話機能に係る処理を簡単に確認すること、親機の留守番電話機能に係る処理を簡単に操作すること、等が望まれている。
【０００９】
また、発信元電話番号信号を受けて、発信元電話番号や電話帳に記憶されている発信元の氏名等の情報を表示部に表示する機能を有する電話機が知られているが、単純に特許文献１により開示されたシステムを適用して、音声メッセージのみを電子メールに添付して送信した場合では、ユーザはその音声メッセージを聞いて、発信元を特定できない虞がある。
【００１０】
本発明は、このような問題に対処することを課題の一例とするものである。すなわち、簡単な構成により、留守番電話機能の有効時の着信や音声メッセージ等を、電話回線を使用することなく、電子メール受信機能を備える通信端末装置等で簡単に確認させること、コードレス電話機の子機により、親機の留守番電話機能に係る処理を簡単に確認可能なこと、簡単に発信元を特定できる電子メールを送信すること、子機により親機の留守番電話機能に係る処理を簡単に制御すること、等が本発明の目的である。
【課題を解決するための手段】
【００１１】
このような目的を達成するために、本発明は、以下の独立請求項に係る構成を少なくとも具備するものである。
【００１２】
請求項１に記載の発明は、留守番電話機能を備える親機と、無線通信により前記親機を介して通話可能な子機とを有するコードレス電話機であって、前記親機は、前記子機と無線通信を行う親機側無線部と、所定の伝送フォーマットでデータをネットワーク伝送可能なＩＰ通信ネットワークインタフェースと、電話回線を介して通信を行う電話回線インタフェースと、前記電話回線インタフェースによる着信信号を検出する着信検出手段と、前記留守番電話機能が有効時に、前記着信検出手段により着信信号が検出された場合、予め規定されたメールアドレス宛に、その旨を示す電子メールをＳＭＴＰにより前記ＩＰ通信ネットワークインタフェースを介して送信する処理を行う制御部とを有することを特徴とする。
【発明を実施するための最良の形態】
【００１３】
本発明の一実施形態に係るコードレス電話機は、留守番電話機能を備える親機と、無線通信により親機を介して通話可能な子機とを有するコードレス電話機であって、親機は、子機と無線通信を行う親機側無線部と、所定の伝送フォーマットでデータをネットワーク伝送可能なＩＰ通信ネットワークインタフェースと、電話回線を介して通信を行う電話回線インタフェースと、電話回線インタフェースによる着信信号を検出する着信検出手段と、留守番電話機能が有効時に、着信検出手段により着信信号が検出された場合、予め規定されたメールアドレス宛に、その旨を示す電子メールをＳＭＴＰ（Simple Mail Transfer Protocol）によりＩＰ通信ネットワークインタフェースを介して送信する処理を行う制御部とを有することを特徴とする。
【００１４】
上記構成のコードレス電話機では、親機の制御部が、留守番電話機能が有効時に、着信検出手段により着信信号が検出された場合、予め規定されたメールアドレス宛に、その旨を示す電子メールをＳＭＴＰによりＩＰ通信ネットワークインタフェースを介して送信する処理を行うので、留守番電話機能が有効時の着信を、電話回線を使用することなく、電子メール受信機能を備える通信端末装置等で簡単に確認させることができる。
【００１５】
好適には、ＩＰ通信ネットワークインタフェースは、ハードウェア固有の物理アドレスを示す識別情報を有し、当該識別情報を基に搬送波感知多重アクセス／衝突検出方式により通信制御を行うことを特徴とする。詳細には、ＩＰ通信ネットワークインタフェースとしては、上記機能を備えたイーサネット（登録商標）インタフェースを備えることが好ましい。
【００１６】
上記構成のコードレス電話機では、例えばインターネット等のＩＰ通信ネットワークにＩＳＰ（インターネットサービスプロバイダ）等を介して接続可能なルータやモデム等の通信装置に備えられたイーサネットインタフェースと、ＬＡＮ（ローカルエリアネットワーク）ケーブル等の規定のデータ線により通信可能に接続することができ、簡単にＳＭＴＰにより電子メールを送信することができる。
【００１７】
また、好適には、子機は、親機と無線通信を行う子機側無線部と、子機側無線部を介して親機から受信した制御信号に応じた表示を行う表示部とを有し、親機の制御部は、留守番電話機能が有効時に、電子メールの送信処理に係る表示を行わせる制御信号を親機側無線部を介して子機に送信する処理を行うので、コードレス電話機の子機により、親機の留守番電話機能に係る処理、例えば電子メールの送信処理等を簡単に確認することができる。
【００１８】
また、好適には、上記電話回線インタフェースは、アナログ信号により公衆電話回線網を介して通信を行うことで、コードレス電話機は、一般的なＰＳＴＮ（Public Switched Telephone Networks ）を介して着信したことや、受信した音声メッセージなどの外部音声データを、規定のメールアドレス宛に電子メールを送信することができる。
【００１９】
好適には、親機は、電話回線インタフェースを介して受信した外部音声信号と時刻データとを関連付けて記憶する記憶部を有し、制御部は、記憶部に外部音声信号が新たに記憶された場合に、外部音声信号に応じた音声データ及び時刻データを含む電子メールを送信する処理を行うことで、留守番電話機能が有効時に留守番電話機能により記憶された外部音声信号を、電話回線を使用することなく、電子メール受信機能を備える通信端末装置等で簡単に確認させることができる。また、時刻データと音声データを有する電子メールを受けることで、留守電機能により記憶された音声信号やその記憶された時刻を簡単に確認することができる。
【００２０】
また、好適には、親機は、電話番号と、該電話番号に係る発信元情報とを関連付けて記憶する記憶部と、電話回線インタフェースを介して、発信元の電話番号を示す信号を検出する発信元電話番号検出部とを有し、制御部は、発信元電話番号検出部により検出された信号が示す電話番号を基に、該電話番号に関連付けられた発信元情報を、電子メールに付加して送信する処理を行うことで、コードレス電話機の親機は、簡単に発信元を特定可能な電子メールを送信することができる。ユーザは、例えば電子メール受信機能を備える通信端末装置等で、簡単に着信した電話番号や発信元情報を確認することができる。
【００２１】
また、好適には、制御部は、電話回線インタフェースを介して、電子メールの送信指示を示す信号を受信した場合に、留守番電話機能に係る内容を示す電子メールを送信する処理を行うことで、例えばユーザは通信情報処理装置などを操作して、電子メールの送信指示を示す信号を、電話回線インタフェースを介してコードレス電話機に送信して、留守番電話機能に係る内容、例えば着信件数や記憶されている音声データ、発信元電話番号等を含む電子メールを送信させることができる。また、例えばユーザは、外出先で通信情報処理装置の記憶された音声メッセージを、再度電子メールにて確認することができる。
【００２２】
また、好適には、子機に、規定されたメールアドレス宛に電子メールを送信させる制御信号を、子機側無線部を介して親機に送信する処理を行う手段を設け、親機の制御部が、子機から親機側無線部を介して電子メールの送信指示を示す制御信号を受信した場合、該制御信号に基づいてメールアドレス宛に電子メールを送信する処理を行うことで、例えばユーザが子機を操作することにより、親機から留守番電話機能に係る内容、例えば着信件数や記憶されている音声データ、発信元電話番号等を含む電子メールを送信させることができる。つまり、コードレス電話機の子機により、親機の留守番電話機能に係る処理を簡単に制御することができる。
【００２３】
以下、図面を参照しながら、本発明の一実施形態に係るコードレス電話機を採用した通信システムを説明する。
【００２４】
［第１実施形態］
図１は、本発明の第１実施形態に係るコードレス電話機１００を採用した通信システム１を説明するための構成図である。図２は、図１に示した通信システム１の詳細な構成図である。
【００２５】
本実施形態に係るコードレス電話機１００は、図１，図２に示すように、留守番電話機能を備える１つの親機１００Ａと、１つ又は複数個の子機１００Ｂとを備える。親機１００Ａは本発明に係る親機の一実施形態に相当し、子機１００Ｂは本発明に係る子機の一実施形態に相当する。
【００２６】
本実施形態に係る通信システム１において、例えば図１，図２に示すように、親機１００Ａは、例えば加入電話回線ネットワークである公衆交換電話網（ＰＳＴＮ）などの外部の電話回線網（電話回線ともいう）３００に電話線Ｌ３を介して接続されており、クライアント端末装置５０（外部電話機５０Ａ）と通話可能である。
【００２７】
また、親機１００Ａは、ルータやＡＤＳＬ（Asymmetric Digital Subscriber Line）モデム等の通信装置４６を介して、ＩＰ（Internet Protocol）通信ネットワーク４００に接続されている。ＩＰ通信ネットワーク４００は、例えばインターネット等の通信プロトコルを用いてコンピュータを相互に接続した通信ネットワークである。
【００２８】
詳細には、例えば、親機１００Ａに設けられたイーサネットインタフェース（Ｉ／Ｆ）１０６と、通信装置４６に備えられたイーサネットインタフェース（Ｉ／Ｆ）４６１とが、ＬＡＮ（ローカルエリアネットワーク）ケーブルなどの規定のデータ線Ｌ４により接続されている。通信装置４６は、例えばＩＳＰ（インターネットサービスプロバイダ）を介してＩＰ通信ネットワーク４００に接続されている。
【００２９】
ＩＰ通信ネットワーク４００には、例えばサーバ装置６０（メールサーバ装置６０Ａ）が接続され、クライアント端末装置（端末装置）５０がＩＳＰ（インターネットサービスプロバイダ）４０１等を介して接続されている。また、携帯電話機５０Ｂ等の端末装置５０が、無線通信方式により基地局４５を介してＩＰ通信ネットワーク４００や電話回線網３００に通信可能に接続されている。詳細には、例えば携帯電話会社４５０は、メールサーバ装置６０（６０Ａ）や、電話回線接続装置４５１などを備え、基地局４５を介して携帯電話５０Ｂに、電子メールサービスや電話サービス等の携帯電話機に係るサービスを提供している。
【００３０】
子機１００Ｂは、無線通信により親機１００Ａとデータ通信することができ、親機１００Ａと各種データを送受信することができる。また、子機１００Ｂは、親機１００Ａとの通信により、親機１００Ａを介して電話回線網３００を経由して端末装置５０（外部電話機５０Ａ）と通話可能である。
【００３１】
図面を参照しながら、コードレス電話機１００の親機１００Ａ、子機１００Ｂを順に説明する。
【００３２】
［親機１００Ａ］
親機１００Ａは、図１，図２に示すように、電話回線インタフェース（Ｉ／Ｆ）１１０、通話回路１０２、スピーカ１０２Ａ、マイクロフォン１０２Ｂ、ＤＳＰ（Digital Signal Processor）１０３、無線部１０４、アンテナ１０５、ＩＰ通信ネットワークインタフェース（ＩＰ通信Ｉ／Ｆ）１０６、表示部１０７、操作入力部１０８、留守番電話機能設定スイッチ１２０、留守番電話機能部１３０、発信元電話番号検出部１４０、記憶部１５０、変換部１６０、および制御部（ＣＰＵ：Central Processing Unit）１７０を有する。
【００３３】
電話回線Ｉ／Ｆ１１０は本発明に係る電話回線インタフェースの一実施形態に相当し、無線部１０４は本発明に係る親機側無線部の一実施形態に相当する。ＩＰ通信Ｉ／Ｆ１０６は本発明に係るＩＰ通信ネットワークインタフェースの一実施形態に相当し、留守番電話機能部１３０は本発明に係る留守番電話機能部の一実施形態に相当する。発信元電話番号検出部１４０は本発明に係る発信元電話番号検出部の一実施形態に相当し、記憶部１５０は本発明に係る記憶部の一実施形態に相当し、制御部１７０は本発明に係る制御部の一実施形態に相当する。
【００３４】
電話回線Ｉ／Ｆ１１０は、制御部１７０の制御により、電話回線網３００を介して通信を行う。詳細には、電話回線Ｉ／Ｆ１１０は、アナログ信号によりＰＳＴＮ等に通信を行う。本実施形態に係る電話回線Ｉ／Ｆ１１０は、例えば図２に示すように、検波回路１１１、回線制御回路１１２、着信検出部１１３を有する。
【００３５】
検波回路１１１は、外部接続端子Ｌ１，Ｌ２に入力される外部着信信号や受信信号を検波する。回線制御回路１１２は、制御部１７０の制御により、コードレス電話機１００の親機１００Ａと外線との回線接続を制御する。着信検出部１１３は、例えばリング回路であり、外線接続端子Ｌ１，Ｌ２を介して入力される外線着信信号を検出して、制御部１７０に出力し、検出時に呼出音をスピーカ１０２Ａから発音させる。
【００３６】
通話回路１０２は、制御部１７０の制御により、回線制御回路１１２を介して入力された受信信号をＤＳＰ１０３、スピーカ１０２Ａや他の回路に送信し、外線への送話信号の送出を行う。また、通話回路１０２には、スピーカ１０２Ａ、およびマイクロフォン１０２Ｂが接続されており、通話回路１０２はマイクロフォン１０２Ｂから入力された音声信号に所定の処理を施して電話回線Ｉ／Ｆ１１０やＤＳＰ１０３に出力し、電話回線Ｉ／Ｆ１１０から入力された音声信号やＤＳＰ１０３から入力された音声信号をスピーカ１０２Ａに出力して、スピーカ１０２Ａにより発音を行わせる。
【００３７】
ＤＳＰ１０３は、制御部１７０の制御により、通話回路１０２を介して入力された受信信号や、外線に送出する送話信号の音声処理を行うとともに、制御部１７０に対してモデムとして機能する。
【００３８】
無線部１０４は、制御部１７０の制御により、子機１００Ｂとの間で、所定の通信方式によりアンテナ１０５を介して無線通信を行う。無線部１０４は、例えば、デジタル無線方式により無線通信を行う。また無線部１０４は、通信周波数を規定周期で切り替える周波数ホッピング方式により無線通信を行ってもよい。また、無線部１０４は、ＭＣＡ（Multi Channel Access）方式等の通信方式により無線通信を行ってもよい。
【００３９】
ＩＰ通信ネットワークＩ／Ｆ（ＩＰ通信Ｉ／Ｆ）１０６は、制御部１７０の制御により、所定の伝送フォーマットでデータをネットワーク伝する。例えば、ＩＰ通信Ｉ／Ｆ１０６としては、例えばイーサネット（登録商標）等の通信方式によりデータ通信を行うイーサネットインタフェース１０６Ａを採用することが好ましい。イーサネットは、パケット交換型のＬＡＮ（ローカルエリアネットワーク）であり、例えばバス型ネットワークや、ハブ（ＨＵＢ）等を用いてスター型ネットワークを構築する際に用いられる。このイーサネットに接続可能なイーサネットインタフェースは、インターネット接続可能な通信装置（ルータやモデム等）に実装される場合が多い。イーサネットインタフェース間をつなぐデータ線Ｌ４としては、例えば２本以上の線が１対にクロス状に編みこまれた構成を有する、より対線や、同軸ケーブル、光ファイバ、等を採用することができる。
【００４０】
このＩＰ通信Ｉ／Ｆ１０６は、詳細には、ハードウェア固有の物理アドレスを示す識別情報（ＭＡＣ（Media Access Control address））アドレスを有し、その識別情報を基に搬送波感知多重アクセス／衝突検出方式（CSMA/CD：Carrier Sense Multiple Access/Collision Detection ）により通信制御を行う。搬送波感知多重アクセス／衝突検出方式（CSMA/CD）とは、例えばデータを送信したいノード(機器)が、通信路の通信状況を監視し、通信路が空くとデータ送信を開始し、複数のノードが同時に送信を開始した場合には、その複数のノードが送信を中止し、ランダムな時間経過後、送信を再開する通信方式である。
【００４１】
図３は、図１，図２に示したコードレス電話機１００が電話回線網３００，ＩＰ通信ネットワーク４００に接続する接続形態を説明するための図である。図３（Ａ）は、親機１００Ａが通信装置４６を介してＩＰ通信ネットワーク４００と接続される形態を説明するための図である。図３（Ａ）に示すように、親機１００Ａは電話線Ｌ３により電話回線Ｉ／Ｆ１１０を介して電話回線網３００と接続し、データ線Ｌ４によりＩＰ通信Ｉ／Ｆ１０６を介してルータ４６Ａ（４６）に形成されたイーサネットＩ／Ｆ４６１と接続している。ルータ４６Ａは、例えばＩＳＰ４０１等を介してＩＰ通信ネットワーク４００と接続されている。
【００４２】
図３（Ｂ）は、コードレス電話機１００がｘＤＳＬ（Digital Subscriber Line）方式により電話回線網３００およびＩＰ通信ネットワーク４００に接続する接続形態を説明するための図である。親機１００Ａは、例えばＡＤＳＬ等のｘＤＳＬ方式により電話回線網３００，ＩＰ通信ネットワーク４００と接続する場合、音声信号とデータ信号とを分離するスプリッタ４６ＣとＡＤＳＬモデム４６１Ｂを使用することが好ましい。詳細には、親機１００Ａの電話回線Ｉ／Ｆ１１０と、スプリッタ４６Ｃの電話回線端子４６１Ｃとが電話線Ｌ３により接続され、スプリッタ４６Ｃの端子４６２Ｃと、ＡＤＳＬモデム４６Ｂ（４６）の端子部４６１Ｂとがデータ線により接続され、親機１００ＡのＩＰ通信Ｉ／Ｆ１０６と、ＡＤＳＬモデム４６Ｂ（４６）のイーサネットインタフェース４６１とがデータ線Ｌ４により接続される。また、スプリッタ４６Ｃは電話回線網３００に接続されるとともに、ＩＳＰ４０１等を介してＩＰ通信ネットワーク４００に接続されている。
【００４３】
図３（Ｃ）は、コードレス電話機１００がＩＳＤＮ（Integrated Services Digital Network）回線を利用した場合の接続形態を説明するための図である。ＩＳＤＮ回線を利用する場合には、例えば、ターミナルアダプタ（ＴＡ）４６Ｄの電話回線端子４６２と親機１００Ａの電話回線Ｉ／Ｆ１１０が電話線Ｌ３により接続され、ターミナルアダプタ（ＴＡ）４６Ｄのイーサネットインタフェース４６１と親機１００ＡのＩＰ通信Ｉ／Ｆ１０６がデータ線Ｌ４により接続される。ターミナルアダプタ（ＴＡ）４６Ｄは、ＤＳＵ（Digital Service Unit）４６Ｅに接続されている。ＤＳＵ４６Ｅは、ＩＳＤＮ回線を介して電話回線網３００に接続されているとともに、ＩＳＰ４０１等を介してＩＰ通信ネットワーク４００に接続されている。
【００４４】
図３（Ｄ）は、コードレス電話機１００がＦＴＴＨ（Fiber To The Home）を利用した場合の接続形態を説明するための図である。ＦＴＴＨを利用する場合、親機１００ＡのＩＰ通信Ｉ／Ｆ１０６とＦＴＴＨモデム４６Ｆに備えられたイーサネットインタフェース４６１とがデータ線Ｌ４により接続される。ＦＴＴＨモデム４６は光ファイバにより必要に応じ所定のＩＳＰ４０１等を介してＩＰ通信ネットワーク４００に接続されている。
【００４５】
図３（Ｅ）は、コードレス電話機１００がＣＡＴＶ（Community Antenna TeleVision）を利用した場合の接続形態を説明するための図である。ＣＡＴＶを利用する場合、親機１００ＡのＩＰ通信Ｉ／Ｆ１０６とＣＡＴＶモデム４６Ｇに備えられたイーサネットインタフェース４６１とがデータ線Ｌ４により接続される。ＣＡＴＶモデム４６ＧはＣＡＴＶ線によりＣＡＴＶ運営会社のＩＳＰ４０１等を介してＩＰ通信ネットワーク４００に接続されている。
【００４６】
コードレス電話機１００とＩＰ通信ネットワーク４００との接続形態は、上述した形態に限られるものではない。例えばコードレス電話機１００は、ブロードバンドルータ、ハブ（ＨＵＢ）、等のイーサネットインタフェースを備える通信装置４６を介して、ＩＰ通信ネットワーク４００と接続してもよい。
【００４７】
表示部１０７は、図１，図２に示すように、制御部１７０の制御により、本発明に係る表示等を行う。表示部１０７としては、例えば、液晶ディスプレイや有機ＥＬ（Electro Luminescence ）ディスプレイ等の表示装置を採用することができる。
【００４８】
操作入力部１０８は、例えば、ユーザの操作に応じた信号、例えば電話番号等のデータ入力を示す信号や、親機１００Ａの所定機能を指示する信号、等を制御部１７０に入力する。操作入力部１０８としては、例えばスイッチ、ボタン、タッチパネルセンサ等を採用することができる。
【００４９】
留守番電話機能設定スイッチ１２０は、例えば留守番電話機能の有効、無効を切り替える際に操作される。制御部１７０は、留守番電話機能設定スイッチ１２０が操作されると、留守番電話機能の有効、無効を切り替える。
【００５０】
留守番電話機能部１３０は、制御部１７０の制御により、例えば留守番電話機能が有効時に、電話回線網３００を介して外部電話機５０Ａからの着信を検出すると、その時刻を示す時刻データとともに記憶し、予め設定された応答メッセージを再生し、外部電話機５０Ａから入力された外部音声信号を時刻データと関連付けて記憶する。また留守番電話機能部１３０は、制御部１７０の制御により、記憶された音声信号を再生することができる。つまり留守番電話機能部１３０は、伝言メッセージを録音／再生することができる。
【００５１】
発信元電話番号検出部１４０は、例えば電話回線Ｉ／Ｆ１１０を介して、外部電話機５０Ａの発信元の電話番号を示す信号（発信元電話番号信号）を検出し、検出結果を示す信号を、制御部１７０に出力する。制御部１７０は、後述するように、発信元電話番号検出部１４０により検出された信号が示す電話番号を基に、該電話番号に関連付けられた発信元情報を、電子メールに付加して送信する処理を行う。発信元電話番号検出部１４０は、いわゆるナンバーディスプレイ機能に相当する。
【００５２】
記憶部１５０は、例えばＲＡＭ（Random access memory）やＲＯＭ（Read only memory）等の半導体メモリ、ハードディスク装置、磁気ディスク装置等により構成され、制御部１７０のワークエリアとして機能する。記憶部１５０は、例えば制御部１７０により実行されて、本発明に係る機能を実現させるプログラム１５１、本発明に係る電子メールの送信先のメールアドレス１５２、各種データ等を記憶する。また、記憶部１５０は、制御部１７０の制御により、記憶しているデータを読み出して出力する。
【００５３】
図４は、図１，図２に示したコードレス電話機１００に記憶されるデータの一実施形態を説明するための図である。詳細には図４（Ａ）は図１，図２に示した親機１００Ａの記憶部１５０に記憶されるデータの一実施形態を説明するための図であり、図４（Ｂ）は電話帳データ１５３の一具体例を説明するための図である。
【００５４】
記憶部１５０は、例えば図４（Ａ）に示すように、電話帳データ１５３を記憶する電話帳メモリ１５０Ａ、通話の送信履歴データを記憶する送信履歴メモリ１５０Ｂ、通話の受信履歴データを記憶する受信履歴メモリ１５０Ｃ、電子メール処理の履歴データ、例えば電子メールの送信時刻データ等を記憶するメール処理履歴メモリ１５０Ｄ等を有する。
【００５５】
電話帳データ１５３は、例えば図４（Ｂ）に示すように、登録識別情報を示す登録データ１５３１、電話番号を示す電話番号データ１５３２、電話番号データに係る発信元情報１５３３とが関連付けられている。発信元情報１５３３としては、例えば図４（Ｂ）に示すように、名前データ１５３４、住所データ１５３５、メールアドレス１５３６等が関連付けられている。
【００５６】
制御部１７０は、発信元電話番号検出部１４０により検出された信号が示す電話番号を基に、記憶部１５０記憶された、電話番号に関連付けられた発信元情報１５３３を、電子メールに付加して送信する処理を行う。
【００５７】
図５は、図１，図２に示したコードレス電話機１００の親機１００Ａの記憶部１５０に記憶されるデータの一実施形態を説明するための図である。記憶部１５０は、図５に示すように、発信元電話番号検出部１４０により検出される電話番号と、送信先のメールアドレス１５２とを予め関連付けて記憶してもよい。
【００５８】
詳細には、図５に示すように、記憶部１５０は、グループ１５２１毎に、電話番号データ１５２２、送信先メールアドレス１５２３、送信メッセージデータ１５２４、メール通知／非通知設定データ１５２５等を関連付けるテーブル１５２Ａ（１５２）を記憶する。
【００５９】
制御部１７０は、例えば記憶部１５０に記憶されたテーブル１５２Ａを読み出して、発信元電話番号検出部１４０により検出された信号が示す電話番号を基に、予め電話番号に関連付けられた送信先のメールアドレス宛に、電子メールを送信する処理を行う。
【００６０】
上述したように、制御部１７０が、電話番号に関連付けられた送信先のメールアドレス宛に、電子メールを送信する処理を行うので、例えば着信した電話番号によって電子メールの送信先を指定することができる。
【００６１】
また、上述したようにテーブル１５２Ａにおいて、電話番号データ１５２２が各グループ１５２１に分けられており、グループ１５２１毎に送信先メールアドレス１５２３を設定することができるので、例えば家庭や会社等の複数のユーザによりコードレス電話機１００が使用される場合に、ユーザそれぞれに関連する電話番号をグループ分けしておき、そのグループ毎に電子メールの送信先を指定することができる。つまり、制御部１７０は、発信元電話番号検出部１４０により検出された信号が示す電話番号を基に、予め電話番号に関連付けられたグループ１５２１毎に指定された送信先のメールアドレス宛に、電子メールを送信する処理を行う。
【００６２】
また、上述したように、電話番号データ１５２２に送信メッセージデータ１５２４が関連付けられているテーブル１５２Ａを用いることで、着信した電話番号毎に送信メッセージを指定することができる。つまり、制御部１７０は、発信元電話番号検出部１４０により検出された信号が示す電話番号を基に、電話番号に関連付けられた送信メッセージを、規定の送信先のメールアドレス宛に、電子メールを送信する処理を行う。
【００６３】
また、上述したように、電話番号データ１５２２毎に電子メールの通知又は非通知を示すメール通知／非通知設定データ１５２５を関連付けるテーブル１５２Ａを用いることで、着信した電話番号毎に電子メールの送信または送信を行わないことを指定することができる。つまり、制御部１７０は、発信元電話番号検出部１４０により検出された信号が示す電話番号が、予め規定された電話番号（非通知設定を示すデータ１５２５と関連付けられた電話番号）と一致する場合に、電子メールの送信処理を抑止し、通知設定を示すデータ１５２５が関連付けられた電話番号と一致する場合に、電子メールの送信処理を行う。
【００６４】
変換部１６０は、制御部１７０の制御により、例えば必要に応じて外部音声信号に所定の音声処理を施して音声データを生成する。また逆に、変換部１６０は音声データを基に音声信号を出力する。
【００６５】
制御部（ＣＰＵ）１７０は、装置全体を統括的に制御する。制御部１７０は、例えば上述したようにプログラム１５０を実行することにより本発明に係る機能を実現する。以下、制御部１７０の機能の一実施形態を説明する。
【００６６】
制御部１７０は、留守番電話機能部１３０の留守番電話機能が有効時に、着信検出部１１３により着信信号が検出された場合、予め規定されたメールアドレス宛に、その旨を示す電子メールをＳＭＴＰによりＩＰ通信Ｉ／Ｆ１０６を介してメールサーバ装置６０Ａ（６０）に送信する処理を行う。
【００６７】
また、制御部１７０は、留守番電話機能部１３０の留守番電話機能が有効時に、電子メールの送信処理に係る表示を行わせる制御信号を無線部１０４を介して子機１００Ｂに送信する処理を行う。
【００６８】
また、制御部１７０は、記憶部１５０に外部音声信号が新たに記憶された場合に、外部音声信号に応じた音声データ及び時刻データを含む電子メールを、ＩＰ通信Ｉ／Ｆ１０６を介して送信する処理を行う。
【００６９】
また、制御部１７０は、上述したように、発信元電話番号検出部１４０により検出された信号が示す電話番号を基に、その電話番号に関連付けられた発信元情報１５３３を、電子メールに付加して送信する処理を行う。
【００７０】
また、制御部１７０は、電話回線Ｉ／Ｆ１１０を介して、電子メールの送信指示を示す信号を受信した場合に、留守番電話機能に係る内容、例えば、着信履歴データ、記憶された外部音声信号の件数、記憶部１５０の記憶容量のうち外部音声信号を記憶可能な量を示す情報、電子メールの送信履歴、等を示す電子メールを予め規定されたメールアドレス宛に、ＩＰ通信Ｉ／Ｆ１０６を介して送信する処理を行う。
【００７１】
また、制御部１７０は、上述したように、発信元電話番号検出部１４０により検出された信号が示す電話番号を基に、予め電話番号に関連付けられた送信先のメールアドレス宛に、ＩＰ通信Ｉ／Ｆ１０６を介して、電子メールを送信する処理を行う。
【００７２】
また、制御部１７０は、上述したように、発信元電話番号検出部１４０により検出された信号が示す電話番号が、予め規定された電話番号と一致する場合に、電子メールの送信処理を抑止する。
【００７３】
また、制御部１７０は、子機から無線部１０４を介して、規定されたメールアドレス宛に電子メールの送信指示を示す制御信号を受信した場合、その制御信号に基づいてメールアドレス宛に電子メールを送信する処理を行う。こうすることで、ユーザは子機１００Ｂを操作することにより、親機１００Ａに記憶された外部音声信号や、時刻データ等を規定されたメールアドレス宛に送信させることができる。
【００７４】
図６は、図１，図２に示したコードレス電話機１００の機能を説明するための機能ブロック図である。図６を参照しながら、コードレス電話機１００の機能の一実施形態を説明する。
【００７５】
本実施形態に係るコードレス電話機１００は、例えば図６に示すように、メインブロック７００Ａ、およびイーサネットＩ／Ｆブロック７００Ｂを有し、制御部１７０が、メインブロック７００ＡとイーサネットＩ／Ｆブロック７００Ｂとを協働させて、上記電子メールの送信に係る処理を行う。
【００７６】
メインブロック７００Ａは本発明に係るコードレス電話メイン機能部の一実施形態に相当し、イーサネットＩ／Ｆブロック７００Ｂは本発明に係る通信インタフェース機能部の一実施形態に相当する。
【００７７】
メインブロック７００Ａは、例えば図６に示すように、電話回線Ｉ／Ｆ１１０、着信検出部１１３、留守番電話機能部１３０、発信元電話番号検出部１４０、制御部１７０、および電話帳制御部１７１、等を有する。上述した機能については説明を省略する。留守番電話機能部１３０は、例えば図６に示すように、外部音声信号検出部１３１、および外部音声信号記憶部１３２を有する。
【００７８】
外部音声信号検出部１３１は、留守番電話機能が有効時に、電話回線Ｉ／Ｆ１１０を介して外部音声信号を検出すると、その検出した旨を示す信号を制御部１７０に出力する。外部音声信号記憶部１３２は、電話回線Ｉ／Ｆ１１０を介して入力された外部音声信号を記憶し、必要に応じて外部音声信号を制御部１７０に出力する。外部音声信号記憶部１３２は、例えば半導体メモリや磁気ディスク、磁気テープ記録装置等により構成されてもよい。また、外部音声信号記憶部１３２は、図２に示した記憶部１５０により機能を実現してもよい。
【００７９】
電話帳制御部１７１は、制御部１７０の制御により、記憶部１５０に記憶された各種データ、例えば電話番号や発信元情報等が関連付けられた電話帳データ１５３に関する読み出し処理等を行う。
【００８０】
イーサネットＩ／Ｆブロック７００Ｂは、例えば図６に示すように、ＩＰ通信Ｉ／Ｆ１０６（イーサネットＩ／Ｆ１０６Ａ）、ＴＣＰ／ＩＰ（Transmission Control Protocol/Internet Protocol）制御部７０１、ＳＭＴＰ制御部７０２、メールアプリケーション７０３、メールアドレス記憶部７０４、等を有する。上述した機能については説明を省略する。
【００８１】
ＴＣＰ／ＩＰ制御部７０１は、例えばトランスポート層およびネットワーク層の制御機能に相当し、ＴＣＰ／ＩＰに係る機能を実現するプログラム群であるＴＣＰ／ＩＰプロトコルスタックを有する。
【００８２】
ＳＭＴＰ制御部７０２は、例えばアプリケーション層の制御機能に相当し、ＳＭＴＰに係る機能を実現するプログラム群である。
【００８３】
メールアプリケーション７０３は、例えば制御部１７０の制御により、メールアドレス記憶部７０４に記憶された予め記憶されたメールアドレス宛に、ＳＭＴＰ制御部７０２、ＴＣＰ／ＩＰ制御部７０１、イーサネットＩ／Ｆ１０６Ａを介して送信する処理を行う。
【００８４】
上述したように、本実施形態に係る親機１００Ａは、メインブロック７００Ａに、イーサネットＩ／Ｆブロック７００Ｂを加えた構成を備え、制御部１７０が、メインブロック７００Ａと、イーサネットＩ／Ｆブロック７００Ｂとを協働させて電子メールの送信に係る処理を行うので、簡単な構成により、本発明に係る機能を実現することができる。
【００８５】
図７は、図１，図２に示したコードレス電話機１００がＩＰ通信Ｉ／Ｆ１０６を介して送信するデータの一実施形態を説明するための図である。詳細には、図７（Ａ）は図１，図２に示した親機１００ＡがＩＰ通信Ｉ／Ｆ１０６を介して送信するデータ４０１の一実施形態を説明するための図であり、図７（Ｂ）は図７（Ａ）に示したデータ４０１のうちの送信データ４０７を詳細に説明するための図である。
【００８６】
親機１００ＡがＩＰ通信Ｉ／Ｆ１０６を介して送信するデータ４０１は、例えば図７（Ａ）に示すように、同期信号４０２、フレーム開始符号４０３、送信先ＭＡＣアドレス４０４、送信元ＭＡＣアドレス４０５、フレーム長／タイプデータ４０６、送信データ４０７、ＦＣＳ（Frame Check Sequence）４０８等を有する。本実施形態に係る送信データ４０７は、例えば図７（Ｂ）に示すように、ＩＰヘッダ４０７１、ＴＣＰヘッダ４０７２、送信先メールアドレス４０７３、送信元メールアドレス４０７４、送信日時データ４０７５、電話回線Ｉ／Ｆ１１０を介して着信した時刻を示す着信日時データ４０７６、外部音声信号に係る音声データ４０７７、発信元電話番号データ４０７８、発信元情報４０７９（例えば氏名、住所、メールアドレス等）、その他データ４０７１０、等を有する。
【００８７】
また、親機１００ＡのＩＰ通信Ｉ／Ｆ１０６から送信されるデータは、上述した形態に限られるものではなく、適宜設定することができる。
【００８８】
［子機１００Ｂ］
図１，図２に示すように、子機１００Ｂは、無線部２０１、アンテナ２０２、ＤＳＰ２０３、スピーカ２０４Ａ、マイクロフォン２０４Ｂ、表示部２０５、操作入力部２０６、記憶部２０７、および制御部（ＣＰＵ）２０８を有する。
【００８９】
無線部２０１は本発明に係る子機側無線部の一実施形態に相当し、表示部２０５は本発明に係る表示部の一実施形態に相当する。制御部２０８は本発明に係る制御信号を親機側に送信する処理を行う手段の一実施形態に相当する。
【００９０】
無線部２０１は、制御部２０８の制御により、親機１００Ａとの間で、所定の通信方式によりアンテナ２０２を介して無線通信を行う。無線部２０１は、例えば、デジタル無線方式により無線通信を行う。また、無線部２０１は、通信周波数を規定周期で切り替える周波数ホッピング方式により無線通信を行ってもよい。また、無線部２０１は、ＭＣＡ方式等の通信方式により無線通信を行ってもよい。
【００９１】
ＤＳＰ２０３は、制御部２０８の制御により、例えば、無線部２０１を介して入力されてくる受信信号や、外線に送出する送話信号の音声処理を行うとともに、制御部２０８に対してモデムとして機能する。また、ＤＳＰ２０３には、スピーカ２０４Ａおよびマイクロフォン２０４Ｂが接続されており、ＤＳＰ２０３は、マイクロフォン２０４Ｂから入力された音声信号に所定の処理を施して、無線部２０１や制御部２０８に出力し、無線部２０１から入力された音声信号をスピーカ２０４Ａに出力して、スピーカ２０４Ａにより発音を行わせる。
【００９２】
表示部２０５は、図１，図２に示すように、制御部２０８の制御により、本発明に係る表示等を行う。詳細には、表示部２０５は、例えば無線部２０１を介して親機１００Ａから受信した制御信号に応じた表示等を行う。表示部２０５としては、例えば、液晶ディスプレイや有機ＥＬディスプレイ等の表示装置、ＬＥＤ（Light Emitting Diode）等の発光素子、等を採用することができる。
【００９３】
操作入力部２０６は、例えば、ユーザの操作に応じた信号、例えば電話番号等のデータ入力を示す信号や、子機１００Ｂの所定機能を指示する信号、等を制御部２０８に入力する。操作入力部２０６としては、例えばスイッチ、ボタン、タッチパネルセンサ等を採用することができる。
【００９４】
記憶部２０７は、例えばＲＡＭやＲＯＭ等の半導体メモリ、ハードディスク装置、磁気ディスク装置等により構成され、制御部２０８のワークエリアとして機能する。記憶部２０７は、例えば制御部２０８により実行されて、本発明に係る機能を実現させるプログラム２０７１、各種データ等を記憶する。また、記憶部２０７は、制御部２０８の制御により、記憶しているデータを読み出して出力する。
【００９５】
制御部（ＣＰＵ）２０８は、子機１００Ｂの装置全体を統括的に制御する。制御部２０８は、例えば上述したようにプログラム２０７１を実行することにより本発明に係る機能を実現する。以下、制御部２０８の機能の一実施形態を説明する。
【００９６】
制御部２０８は、無線部２０１を介して親機１００Ａから受信した制御信号を基に、その制御信号に応じた表示を表示部２０５に行わせる。
【００９７】
また、制御部２０８は、例えば操作入力部２０６から、メールアドレス宛に電子メールを送信させる操作指示信号が入力されると、規定されたメールアドレス宛に電子メールを送信させる制御信号を無線部２０１を、無線部２０１を介して親機１００Ａに送信する処理を行う。
【００９８】
［クライアント端末装置（端末装置）５０］
端末装置５０は、例えば外部電話機５０Ａ、携帯電話５０Ｂ、パーソナルコンピュータ（ＰＣ）５０Ｃ等の通信機能を備えたコンピュータであり、一般的なコンピュータと同じ構成である。詳細には、端末装置５０は、無線通信方式や有線方式によりＩＰ通信ネットワーク４００や電話回線網３００を介して通信を行う通信Ｉ／Ｆ５１、スピーカ５２Ａ及びマイクロフォン５２Ｂが接続された音声回路５２、表示部５３、操作入力部５４、記憶部５５、制御部５６、等を有する。端末装置５０の各構成要素については、一般的なコンピュータの構成と略同じであるので説明を省略する。
【００９９】
［サーバ装置］
サーバ装置６０は、メールサーバ装置６０Ａや、ＦＴＰ（File Transfer Protocol）、ＳＭＴＰ（Simple Mail Transfer Protocol ）、ＨＴＴＰ（HyperText Transfer Protocol）、等の所定の伝送フォーマットにて、所定のサービスを提供するサーバ装置６０Ｂ等の所定のサービスを提供する通信機能を備えたコンピュータであり、一般的なコンピュータと同じ構成である。サーバ装置６０は、詳細には通信Ｉ／Ｆ、操作入力部、表示部、記憶部、および制御部、等を有する。サーバ装置６０の各構成要素については、一般的なコンピュータの構成と略同じであるので説明を省略する。
【０１００】
図８は、図１，図２に示したコードレス電話機１００の動作、特に親機１００Ａの動作を説明するためのフローチャートである。図９は図１，図２に示したコードレス電話機１００、外部電話機５０Ａ、メールサーバ装置６０Ａ、端末装置５０等の動作の一実施形態を説明するための図である。図８，図９を参照しながら、本発明に係る装置の動作、特にコードレス電話機１００の制御部１７０の動作を中心に説明する。
【０１０１】
図８に示すように、ステップＳ１において、親機１００Ａの制御部１７０は、留守番電話機能設定スイッチ１２０から入力される信号を基に、留守番電話機能の有効又は無効を設定する。
【０１０２】
ステップＳ２において、制御部１７０は、留守番電話機能が有効であるか否かを判別し、有効でないと判別した場合には通常処理を行い（ステップＳ３）、留守番電話機能が有効であると判別した場合に、留守電モード処理を行う（ステップＳ４）、詳細には後述するようにステップＳ５からステップＳ１６の処理等を行う。
【０１０３】
ステップＳ５において、制御部１７０は、留守番電話機能が有効時に、着信待ち状態となり、その間に各種イベントが発生した場合には、後述するように、そのイベントに応じた処理を行う。
【０１０４】
ステップＳ６において、制御部１７０は、端末装置５０から電話回線網３００を介して着信検出部１１３により着信信号を検出したか否かを判別し、検出していないと判別した場合にステップＳ５の処理に戻り、着信信号を検出した場合（図９に示したＳ１０１）に、その旨を示す表示を表示部１０７に表示させる処理を行うとともに、その旨を表示させる制御信号を無線部１０４を介して子機１００Ｂに送信する処理を行う（図９に示したＳ１０２）。子機１００Ｂの制御部２０８は、無線部２０１を介して受信した制御信号に応じて、表示部２０５にその旨を表示させる表示処理を行う。
【０１０５】
ステップＳ８において、親機１００Ａの制御部１７０は、発信元電話番号検出部１４０により、電話回線Ｉ／Ｆ１１０を介して発信元（外部電話機５０Ａ）の電話番号を示す信号が検出されたか否かを判別し、検出されないと判別した場合にステップＳ１１の処理に進み、検出されたと判別した場合に、発信元電話番号を記憶部１５０に記憶し（ステップＳ９）、発信元電話番号を表示部１０７に表示させる処理を行うとともに、発信元電話番号を表示させる制御信号を無線部１０４を介して子機１００Ｂに送信する処理を行う。子機１００Ｂの制御部２０８は、無線部２０１を介して受信した制御信号に応じて、表示部２０５に発信元電話番号を表示させる表示処理を行う（ステップＳ１０）。
【０１０６】
ステップＳ１１において、制御部１７０は、外部音声信号が録音されたか否かを判別し、詳細には、留守番電話機能部１３０の外部音声信号検出部１３１により、外部電話機５０Ａから電話回線Ｉ／Ｆ１１０を介して外部音声信号が入力されたか否かを判別し、入力されていないと判別した場合にステップＳ１４の処理に進み、外部音声信号が入力されたと判別した場合には、外部音声信号記憶部１３２（記憶部１５０等）に外部音声信号と現在の着信時刻を示す時刻データとを関連付けて記憶する（ステップＳ１２）。
【０１０７】
ステップＳ１３において、制御部１７０は、変換部１６０により、外部音声信号を規定されたフォーマット形式、例えばＷＡＶＥ形式、ＭＰ３（MPEG Audio Layer 3）形式、ＷＭＡ形式、等に変換して音声データを生成する。
【０１０８】
ステップＳ１４において、制御部１７０は、音声データ、着信時刻データ、発信元電話番号、発信元情報、等を、図６に示したイーサネットＩ／Ｆブロック７００Ｂに転送（出力）するとともに、イーサネットＩ／Ｆブロック７００Ｂにメール送信指示を行う。
【０１０９】
ステップＳ１５において、制御部１７０の制御により、イーサネットＩ／Ｆブロック７００Ｂでは、メールアドレス記憶部７０４（記憶部１５０）に記憶されている予め規定されたメールアドレス１５２宛に、例えば図７（Ａ），７（Ｂ）に示すように、必要に応じて音声データ、着信時刻データ、発信元電話番号、発信元情報、等を含む電子メールを、ＩＰ通信Ｉ／Ｆ１０６を介して電子メールの送信処理を行う（図９に示したステップＳ１０３）。
【０１１０】
ステップＳ１６において、親機１００Ａの制御部１７０は、上記電子メールを送信した旨を表示部１０７に表示する処理を行うとともに、上記電子メールの送信処理に係る表示を行わせる制御信号を無線部１０４を介して、子機１００Ｂに送信する処理を行う（図９に示したステップＳ１０４）。子機１００Ｂの制御部２０８は、無線部２０１を介して受信した制御信号に応じて、表示部２０５にその旨を表示させる表示処理を行う。
【０１１１】
メールサーバ装置（例えばＳＭＴＰサーバ兼ＰＯＰサーバ）６０Ａでは、親機１００ＡからＩＰ通信ネットワーク４００を介して受信した電子メールを、メールアドレスにより指定されたユーザのメールボックスに記憶する。
【０１１２】
図９に示すように、ステップＳ１０５において、例えば、携帯電話５０Ｂ宛に電子メールが送信された場合には、メールサーバ装置６０Ａ（６０）は、基地局４０を介して携帯電話５０Ｂにメール着信を示す通知信号を送信し、メール受信設定に応じて例えば電子メールを携帯電話５０Ｂに送信する。
【０１１３】
パーソナルコンピュータ等の端末装置５０Ｃ（５０）宛に電子メールが送信された場合には、メールサーバ装置６０Ａ（６０）は、端末装置５０からの要求に応じて、電子メールを端末装置５０に送信する。
【０１１４】
端末装置５０（５０Ｂ，５０Ｃ）の制御部５６は、通信Ｉ／Ｆ５１を介して受信した電子メールに基づいて、着信時刻データ、発信元電話番号、発信元情報、等を表示部５３に表示する処理を行い、スピーカ５２Ａから音声データに応じた発音を行わせる処理を行う。
【０１１５】
図１０は、図１，図２に示したコードレス電話機１００の動作、特に外部電話機５０Ａ（５０）からメール送信を指示する制御信号が送信された場合の動作を説明するための図である。
【０１１６】
図１０に示すように、ステップＳ１１１において、電話回線Ｉ／Ｆ１１０を介して、電子メールの送信指示を示す信号（リモコン信号）を受信した場合、詳細には、外部電話機５０Ａ（端末装置５０）からメール送信を指示する、予め規定されたトーン信号（DTMF：Dual-Tone Multi-Frequency等）を含む音声信号などが電話回線網３００を介して電話回線Ｉ／Ｆ１１０にて受信した場合に、制御部１７０は、表示部１０７にその旨を示す表示処理を行うとともに、その旨を示す表示を行わせる制御信号を無線部１０４を介して、子機１００Ｂに送信する処理を行う（ステップＳ１１２）。子機１００Ｂの制御部２０８は、無線部２０１を介して受信した制御信号に応じて、表示部２０５にその旨を表示させる表示処理を行う。
【０１１７】
ステップＳ１１３において、制御部１７０は、留守番電話機能に係る内容、例えば、留守番電話機能部１３０による外部音声信号や発信元電話番号、発信元情報等を含む電子メールをＩＰ通信Ｉ／Ｆ１０６を介して、規定されたメールアドレス宛に送信する処理を行うとともに、その旨を示す表示を行わせる制御信号を無線部１０４を介して、子機１００Ｂに送信する処理を行う（ステップＳ１１４）。子機１００Ｂの制御部２０８は、無線部２０１を介して受信した制御信号に応じて、表示部２０５にその旨を表示させる表示処理を行う。
【０１１８】
ステップＳ１１５において、メールサーバ装置６０（６０Ａ）は、親機１００ＡからＩＰ通信ネットワーク４００を介して受信した電子メールを、必要に応じて端末装置５０（５０Ｂ，５０Ｃ）に送信する。端末装置５０では、表示部にメールに応じた表示を行い、音声データに応じた発音を行う。この際、メール送信指示を行う端末装置５０と、親機１００Ａからメールを受信する端末装置５０とが同一であってもよく、別の装置であってもよい。
【０１１９】
つまり、上記実施形態では、親機１００Ａは、端末装置５０から電話回線Ｉ／Ｆ１１０を介してトーン信号（ＤＴＭＦ）等による制御信号を受けると、所定の内容の電子メールを規定されたメールアドレス宛に送信することができる。
【０１２０】
また、上記電子メールの送信処理は、上述した実施形態に限られるものではない。例えば、親機１００Ａの制御部１７０は、ＩＰ通信ネットワークインタフェース１０６を介して、携帯電話５０ＢやＰＣ５０Ｃ等のクライアント端末装置５０から電子メールの送信指示を示す信号を受信した場合に、留守番電話機能に係る内容を示す電子メールを送信する処理を行ってもよい。つまり親機１００Ａは、ＰＯＰクライアント機能を有し、外部クライアント端末装置５０から上記送信指示を電子メールにて受信した場合に、留守番電話機能に係る内容を示す電子メールを送信する処理を行ってもよい。
【０１２１】
図１１は、図１，図２に示した親機１００Ａの動作、特に子機１００Ｂからメール送信を指示する制御信号が送信された場合の動作を説明するための図である。
【０１２２】
図１１に示すように、ステップＳ１２１において、例えば子機１００Ｂの制御部２０８は、操作入力部２０６から所定の操作指示信号が入力されると、規定されたメールアドレス宛に電子メールを送信させる制御信号を、無線部２０１を介して親機１００Ａに送信する処理を行う。
【０１２３】
親機１００Ａの制御部１７０は、子機１００Ｂから無線部１０４を介して電子メールの送信指示を示す制御信号を受信した場合、表示部１０７にその旨を示す表示処理を行うとともに、その旨を示す表示を行わせる制御信号を無線部１０４を介して、子機１００Ｂに送信する処理を行う（ステップＳ１２２）。子機１００Ｂの制御部２０８は、無線部２０１を介して受信した制御信号に応じて、表示部２０５にその旨を表示させる表示処理を行う。
【０１２４】
ステップＳ１２３において、制御部１７０は、例えば留守番電話機能に係る内容、詳細には留守番電話機能部１３０による外部音声信号や発信元電話番号、発信元情報等を含む電子メールをＩＰ通信Ｉ／Ｆ１０６を介して、規定されたメールアドレス宛に送信する処理を行うとともに、その旨を示す表示を行わせる制御信号を無線部１０４を介して、子機１００Ｂに送信する処理を行う（ステップＳ１２４）。子機１００Ｂの制御部２０８は、無線部２０１を介して受信した制御信号に応じて、表示部２０５にその旨を表示させる表示処理を行う。
【０１２５】
ステップＳ１２５において、メールサーバ装置６０（６０Ａ）は、親機１００ＡからＩＰ通信ネットワーク４００を介して受信した電子メールを、必要に応じて端末装置５０（５０Ｂ，５０Ｃ）に送信する。端末装置５０では、表示部にメールに応じた表示を行い、音声データに応じた発音を行う。この際、メール送信指示を行う端末装置５０と、親機１００Ａからメールを受信する端末装置５０とが同一であってもよく、別の装置であってもよい。
【０１２６】
つまり、上記実施形態では、親機１００Ａは、子機１００Ｂからメール送信指示を受けると、所定の内容の電子メールを規定されたメールアドレス宛に送信することができる。
【０１２７】
［第２実施形態］
図１２は、本発明の第２実施形態に係るコードレス電話機１００を採用した通信システム１を説明するための構成図である。第１実施形態と同じ構成や動作については説明を省略する。
【０１２８】
本実施形態に係る親機１００Ａは、例えば図１２に示すように、ファクシミリ受信部１８０を有する。制御部１７０は、ファクシミリ受信部１８０により受信されたシリアルデータのファクシミリ信号に基づいて画像データを生成し、当該生成された画像データを電子メールに添付して送信する処理を行う。
【０１２９】
図１３は、図１２に示したコードレス電話機１００の動作を説明するための図である。図１２，図１３を参照しながら、本実施形態に係るコードレス電話機１００の動作を、特に親機１００Ａの制御部１７０の動作を中心に説明する。
【０１３０】
先ず、ＦＡＸ装置５０Ｄ（５０）からコードレス電話機１００に、シリアルデータのファクシミリ信号が送信される。
【０１３１】
親機１００Ａの制御部１７０は、図１３に示すように、ステップＳ１３１において、電話回線Ｉ／Ｆ１１０を介して、ファクシミリ受信部１８０によりファクシミリ信号が受信されると、表示部１０７にその旨を示す表示処理を行うとともに、その旨を示す表示を行わせる制御信号を無線部１０４を介して、子機１００Ｂに送信する処理を行う（ステップＳ１３２）。子機１００Ｂの制御部２０８は、無線部２０１を介して受信した制御信号に応じて、表示部２０５にその旨を表示させる表示処理を行う。
【０１３２】
ステップＳ１３３において、制御部１７０は、受信されたシリアルデータのファクシミリ信号に基づいて画像データを生成し、当該生成された画像データを、着信時刻データ等を含む電子メールをＩＰ通信Ｉ／Ｆ１０６を介して、規定されたメールアドレス宛に送信する処理を行うとともに、その旨を示す表示を行わせる制御信号を無線部１０４を介して、子機１００Ｂに送信する処理を行う（ステップＳ１３４）。子機１００Ｂの制御部２０８は、無線部２０１を介して受信した信号に応じて、表示部２０５にその旨を表示させる表示処理を行う。
【０１３３】
つまり、上述した実施形態に係るコードレス電話機１００では、ファクシミリ信号を受信して、ファクシミリ信号に応じた画像データを生成して、電子メールに添付して、規定されたメールアドレス宛に送信することができる。
【０１３４】
以上説明したように、本発明に係るコードレス電話機１００は、例えば留守番電話機能を備える親機１００Ａと、無線通信により親機１００Ａを介して通話可能な子機１００Ｂとを有し、親機１００Ａは、子機１００Ｂと無線通信を行う無線部１０４と、所定の伝送フォーマットでデータをネットワーク伝送可能なＩＰ通信Ｉ／Ｆ１０６と、電話回線を介して通信を行う電話回線Ｉ／Ｆ１１０と、電話回線Ｉ／Ｆ１１０による着信信号を検出する着信検出部１１３と、留守番電話機能が有効時に、着信検出部１１３により着信信号が検出された場合、予め規定されたメールアドレス宛に、その旨を示す電子メールをＳＭＴＰによりＩＰ通信Ｉ／Ｆ１０６を介して送信する処理を行う制御部１７０とを有するので、簡単な構成により、留守番電話機能の有効時の着信を、電話回線を使用することなく、電子メール受信機能を備える端末装置５０等で簡単に確認させることができる。
【０１３５】
また、ＩＰ通信Ｉ／Ｆ１０６としては、ハードウェア固有の物理アドレスを示す識別情報を有し、当該識別情報を基に搬送波感知多重アクセス／衝突検出方式により通信制御を行うイーサネットＩ／Ｆ１０６Ａを採用することが好ましい。例えば、一般家庭におけるブロードバンド化が進み、家庭内や会社でのインターネット等の接続手段が従来のダイヤルアップモデムによるものからＡＤＳＬ、ＦＴＴＨによるものに移行してきているので、電話機にイーサネットＩ／Ｆを設け、インターネット接続をすることに、大きな障害はなくなりつつあると考えられる。イーサネットＩ／Ｆを付加するコストについても、従来に比べると安くなっている。特にデジタル方式のコードレス電話機の場合には、チップセットに機能内蔵してもよい。また、従来のダイヤルアップ接続の場合、その都度課金されるが、常時接続の場合には基本料金のみでメール送信を行うことができる。
【０１３６】
また、子機１００Ｂは、親機１００Ａと無線通信を行う無線部２０１と、無線部２０１を介して親機１００Ａから受信した制御信号に応じた表示を行う表示部２０５を有し、親機１００Ａの制御部１７０は、留守番電話機能が有効時に、上述した電子メールの送信処理に係る表示を行わせる制御信号を無線部１０４を介して子機１００Ｂに送信する処理を行うので、子機１００Ｂにより、親機１００Ａの留守番電話機能に係る処理を簡単に確認することができる。
【０１３７】
なお、本発明は上述した実施形態に限られるものではない。例えば上記実施形態を組み合わせて実施してもよい。
【０１３８】
また、制御部１７０は、電話回線Ｉ／Ｆ１１０を介して受信したデータに係る音声データ又は画像データを、ＩＰ通信Ｉ／Ｆ１０６を介して所定のプロトコル、例えばＦＴＰプロトコルなどによりサーバ装置６０に送信して、当該サーバ装置６０に登録する処理を行ってもよい。サーバ装置６０は、端末装置５０からの要求に応じて、登録されたデータを要求元の端末装置５０に送信してもよい。
【図面の簡単な説明】
【０１３９】
【図１】本発明の第１実施形態に係るコードレス電話機１００を採用した通信システム１を説明するための構成図である。
【図２】図１に示した通信システム１の詳細な構成図である。
【図３】図１，図２に示したコードレス電話機１００が電話回線網３００，ＩＰ通信ネットワーク４００に接続する接続形態を説明するための図である。（Ａ）は親機１００Ａが通信装置４６を介してＩＰ通信ネットワーク４００と接続される形態を説明するための図であり、（Ｂ）はコードレス電話機１００がｘＤＳＬ方式により電話回線網３００およびＩＰ通信ネットワーク４００に接続する接続形態を説明するための図であり、（Ｃ）はコードレス電話機１００がＩＳＤＮ回線を利用した場合の接続形態を説明するための図であり、（Ｄ）はコードレス電話機１００がＦＴＴＨを利用した場合の接続形態を説明するための図であり、（Ｅ）はコードレス電話機１００がＣＡＴＶを利用した場合の接続形態を説明するための図である。
【図４】図１，図２に示したコードレス電話機１００に記憶されるデータの一実施形態を説明するための図である。（Ａ）は図１，図２に示した親機１００Ａの記憶部１５０に記憶されるデータの一実施形態を説明するための図であり、（Ｂ）は電話帳データ１５３の一具体例を説明するための図である。
【図５】図１，図２に示したコードレス電話機１００の親機１００Ａの記憶部１５０に記憶されるデータの一実施形態を説明するための図である。
【図６】図１，図２に示したコードレス電話機１００の機能を説明するための機能ブロック図である。
【図７】図１，図２に示したコードレス電話機１００がＩＰ通信Ｉ／Ｆ１０６を介して送信するデータの一実施形態を説明するための図である。（Ａ）は図１，図２に示した親機１００ＡがＩＰ通信Ｉ／Ｆ１０６を介して送信するデータ４０１の一実施形態を説明するための図であり、（Ｂ）は（Ａ）に示したデータ４０１のうちの送信データ４０７を詳細に説明するための図である。
【図８】図１，図２に示したコードレス電話機１００の動作、特に親機１００Ａの動作を説明するためのフローチャートである。
【図９】図１，図２に示したコードレス電話機１００、外部電話機５０Ａ、メールサーバ装置６０Ａ、端末装置５０等の動作の一実施形態を説明するための図である。
【図１０】図１，図２に示したコードレス電話機１００の動作、特に外部電話機５０Ａ（５０）からメール送信を指示する制御信号が送信された場合の動作を説明するための図である。
【図１１】図１，図２に示した親機１００Ａの動作、特に子機１００Ｂからメール送信を指示する制御信号が送信された場合の動作を説明するための図である。
【図１２】本発明の第２実施形態に係るコードレス電話機１００を採用した通信システム１を説明するための構成図である。
【図１３】図１２に示したコードレス電話機１００の動作を説明するための図である。
【符号の説明】
【０１４０】
１  通信システム
５０  端末装置
６０  サーバ装置
６０Ａ  メールサーバ装置
１００  コードレス電話機
１００Ａ  親機
１００Ｂ  子機
１１０  電話回線Ｉ／Ｆ
１０２  通話回路
１０２Ａ  スピーカ
１０２Ｂ  マイクロフォン
１０３  ＤＳＰ
１０４  無線部
１０５  アンテナ
１０６  通信インタフェース
１０６Ａ  イーサネットＩ／Ｆ
１０７  表示部
１０８  操作入力部
１１１  検波回路
１１２  回線制御回路
１１３  着信検出部（リング回路）
１２０  留守番電話機能設定スイッチ
１３０  留守番電話機能部
１３１  外部音声信号検出部
１３２  外部音声信号記憶部
１４０  発信元電話番号検出部
１５０  記憶部（メモリ）
１５１  プログラム
１６０  変換部
１７０  制御部（ＣＰＵ）
２０１  無線部
２０２  アンテナ
２０３  ＤＳＰ
２０４Ａ  マイクロフォン
２０４Ｂ  スピーカ
２０５  表示部
２０６  操作入力部
２０７  記憶部（メモリ）
２０８  制御部
３００  電話回線網
４００  ＩＰ通信ネットワーク
７００Ａ  コードレス電話メインブロック
７００Ｂ  通信Ｉ／Ｆブロック
７０１  ＴＣＰ／ＩＰ制御部
７０２  ＳＭＴＰ制御部
７０３  メール送信アプリケーション
７０４  メールアドレス記憶部
【図１】
2008042412.tif 000003
【図２】
2008042412.tif 000004
【図３】
2008042412.tif 000005
【図４】
2008042412.tif 000006
【図５】
2008042412.tif 000007
【図６】
2008042412.tif 000008
【図７】
2008042412.tif 000009
【図８】
2008042412.tif 000010
【図９】
2008042412.tif 000011
【図１０】
2008042412.tif 000012
【図１１】
2008042412.tif 000013
【図１２】
2008042412.tif 000014
【図１３】
2008042412.tif 000015